(57)【要約】      （修正有）【課題】レンズ外周に取付けるヨロイ及び両レンズを連結する為の連結部材を、正しく、安定して、しかもレンズに無理な負荷をかけることなく取付けることが出来る縁なしメガネを提供する。【解決手段】レンズ外周には切欠き部を設け、この切欠き部に正面から背面側へ延びる穴を形成した取付部材１１を嵌め、そして、嵌入片１８と表片１７を延ばして構成したヨロイ３の嵌入片１８を取付部材１１の穴に嵌めると共に表片１７をレンズ表面と取付部材１１の表面１９に当接し、切欠き部から取付部材１１が外れないように、及び取付部材１１からヨロイ３が外れないように固着する。【選択図】図５
2014153591.tif 000002
【特許請求の範囲】
【請求項１】
連結部材の両端にレンズを連結し、レンズ外側にはヨロイを取付け、そして該ヨロイには蝶番などの継手を介して折畳み出来るようにツルを取付けた縁なしメガネにおいて、レンズ外周には切欠き部を設け、この切欠き部に正面から背面側へ延びる穴を形成した取付部材を嵌め、そして、嵌入片と表片を延ばして構成した上記ヨロイの嵌入片を上記取付部材の穴に嵌めると共に表片をレンズ表面と取付部材の表面に当接し、切欠き部から取付部材が外れないように、及び取付部材からヨロイが外れないように接着剤などで固着したことを特徴とする縁なしメガネ。
【請求項２】
連結部材の両端にレンズを連結し、レンズ外側にはヨロイを取付け、そして該ヨロイには蝶番などの継手を介して折畳み出来るようにツルを取付けた縁なしメガネにおいて、レンズ外周には切欠き部を設け、この切欠き部に正面から背面側へ延びる穴を形成した取付部材を嵌め、そして、嵌入片と表片を延ばして構成した上記連結部材の嵌入片を上記取付部材の穴に嵌めると共に表片をレンズ表面と取付部材の表面に当接し、切欠き部から取付部材が外れないように、及び取付部材から連結部材が外れないように接着剤などで固着したことを特徴とする縁なしメガネ。
【請求項３】
上記レンズ表面を切削又は研削して僅かな段差を有す凹部を形成し、この凹部に上記表片の一部を係合した請求項１、又は請求項２記載の縁なしメガネ。
【発明の詳細な説明】
【技術分野】
【０００１】
本発明はリムを持たないでレンズを直接連結して構成される縁なしメガネに関するものである。
【背景技術】
【０００２】
図９は従来の一般的な縁なしメガネを示している具体例である。両レンズ(イ)、(イ)は連結部材(ロ)によってネジ止めされ、レンズ(イ)、(イ)の外側にはヨロイ(ハ)、(ハ)がネジ止めにて取着されている。そして、このヨロイ(ハ)には継手部を介してツル(ニ)が折畳み出来るように取付けされ、さらにレンズ(イ)の内側には上記連結部材(ロ)から延びる脚先端に鼻当てパット(ホ)が設けられている。
【０００３】
ところで、両レンズ(イ)、(イ)は連結部材(ロ)にてネジ止めされ、同じくヨロイ(ハ)はレンズ外側にネジ止めされているが、１本のネジでレンズ(イ)と連結固定する場合、ネジを中心として回転しない構造としなければならない。そこで、縁なしメガネではレンズの外周に当接する当り片(ヘ)を連結部材(ロ)並びにヨロイ(ハ)に設けることで、レンズの回転を阻止してガタ付かない構造が採用されている。
【０００４】
このように、両レンズ(イ)、(イ)を連結部材(ロ)の両サイドから延びる止着片（ト）、（ト）にネジ止めし、レンズ外側にはヨロイ(ハ)、(ハ)から延びる止着片（ト）をネジ止めし、そしてレンズ回転を阻止する為に当り片（ヘ）を設けてレンズ外周に当接した構造としている。しかし、縁なしメガネではレンズ回転を防止する為に該当り片（ヘ）ではなく、他にも色々な連結構造が知られている。
【０００５】
例えば、実用新案登録第３０４３００６号に係る「縁なし眼鏡」は、簡単な構造で、専門的な技術や機械を必要とせず、どこでも組立られ、ガタ付かず、しっかりとした固定ができる、安価で強度と耐久性のある縁なし眼鏡のレンズ取付構造である。そこで、眼鏡レンズ端部の一方のレンズ面に切欠部を設け、その切り欠け部に嵌合する取付部を備えた略コの字状の枠取付部材を、レンズの表裏から挟持して取り付ける構造としている。
ここで、上記枠取付部材を取付ける為にレンズ面に切欠部が加工されるが、厚さ及び曲率が異なる多種多様なレンズに切欠部を高精度で加工することは容易でない。
その為に、枠取付部材はレンズに対して正確に取付けることが出来ず、該枠取付部材に継手を介して連結するツル（テンプル）は位置ズレする。
【０００６】
特開平１１−３２６８３８号に係る「眼鏡の矯正用レンズ取り付け構造及びその眼鏡」は、サンプル眼鏡と同等のパーツを使用し、展示用ダミーレンズに換えて矯正用レンズを組み込み、矯正用眼鏡を組立てる際、ブラケットやブリッジ等の眼鏡フレームパーツに修正を加えることなく、サンプル眼鏡と同じ状態の掛け具合を保証できる矯正用レンズ取付構造である。
そこで、矯正用レンズのブラケット当接面を、レンズ表面に対して傾斜させて、ブラケットをはめ込む溝部の底面として形成し、展示用ダミーレンズの内側基準角度θと同じ角度に矯正用レンズの内側基準角度を設定している。
【０００７】
この場合も、矯正用レンズの表面を加工してブラケットを取付けているが、該ブラケットを嵌め込む溝部の加工は容易でない。
【特許文献１】実用新案登録第３０４３００６号に係る「縁なし眼鏡」
【特許文献２】特開平１１−３２６８３８号に係る「眼鏡の矯正用レンズ取り付け構造及びその眼鏡」
【発明の開示】
【発明が解決しようとする課題】
【０００８】
このように、レンズが嵌るリムを有しない従来の縁なしメガネには上記のごとき問題がある。本発明が解決しようとする課題はこの問題点であり、レンズ形状がいかようであっても、レンズ外周に取付けるヨロイ及び両レンズを連結する為の連結部材を、正しく、安定して、しかも該レンズに無理な負荷をかけることなく取付けることが出来る縁なしメガネを提供する。
【課題を解決するための手段】
【０００９】
本発明に係る縁なしメガネは、両レンズを連結部材にて連結し、レンズ外側にはヨロイを取付け、そして該ヨロイには継手を介してツルが折畳み出来るように取付けて構成し、基本的な構造は従来のものと共通する。ところで、本発明ではレンズ外周に切欠き部を設け、この切欠き部に取付部材が嵌合し、外れないように接着剤を介して固着される。また、溶着する場合もある。そして、上記取付部材には正面から奥（背面側）に向かって穴を設けている。
【００１０】
ヨロイ及び連結部材の先端部には嵌入片と表片が所定の間隔をおいて互いに平行に延び、嵌入片は上記取付部材に設けた穴に嵌り、表片は取付部材の表面に当接する。そして、表片は取付部材の表面とはその面積を大きくしている為にレンズ表面にも一部当接する。そこで、取付部材の一部は嵌入片と表片とによって挟み込まれ、取付部材の表面はレンズ表面と同一面と成り、その位置は定まる。
切欠き部に嵌った取付部材及び取付部材に連結したヨロイ及び連結部材が所定の位置に定まったところで、接着剤によって固着される。ここで、レンズ表面を僅かに切削又は研削して凹部を加工し、この凹部に上記表片を当接する場合もある。
【発明の効果】
【００１１】
本発明の縁なしメガネは、両レンズを連結部材によって連結し、レンズ外側にはヨロイを取付けてフロント部を構成している。この点は従来の縁なしメガネと同じであるが、連結部材及びヨロイはレンズと直接連結されず、レンズ外周に形成した切欠き部に嵌めた取付部材を介して取付けられている。
【００１２】
取付部材はレンズ切欠き部に嵌って接着固定され、その為に、レンズと一体化してレンズの一部として構成され、該取付部材に連結部材及びヨロイが連結することで、すなわちレンズに直接連結しないことで該レンズに無理応力が作用しない。従って、ツルを開いてメガネを顔に掛ける場合にヨロイ及び連結部材に発生する曲げモーメントに基づく応力がレンズに及ぼす影響は小さくてレンズ割れが抑制される。
【００１３】
そして、レンズ外周に設けた切欠き部に嵌る取付部材は、連結部材が取付けられることで、レンズ表面又は切削や研削にて加工した凹部底面と同一面を成して位置決めされ、その為に該連結部材にて連結される両レンズは左右対称を成して配置される。また、ヨロイが取付けられることで、取付部材はレンズ表面又は凹部底面と同一面を成して位置決めされ、その為に該ヨロイに取付けられるツルは正しく配置されて延びる。
【図面の簡単な説明】
【００１４】
【図１】本発明の縁なしメガネの外観図。
【図２】外周に切欠き部を形成したレンズの具体例。
【図３】切欠き部の拡大図。
【図４】切欠き部に嵌る取付部材の具体例。
【図５】（ａ）は切欠き部に嵌めた取付部材にヨロイを連結する場合、（ｂ）は切欠き部に嵌めた取付部材にヨロイを連結した場合。
【図６】図５（ｂ）の断面拡大図。
【図７】（ａ）はレンズ表面に凹部を加工したレンズの切欠き部に嵌めた取付部材にヨロイを連結する場合、（ｂ）は切欠き部に嵌めた取付部材にヨロイを連結した場合。
【図８】図７（ｂ）の断面拡大図。
【図９】従来の縁なしメガネの外観図。
【発明を実施するための形態】
【００１５】
図１（ａ）、（ｂ）は本発明に係る縁なしメガネを表している実施例である。同図の１はレンズ、２は連結部材、３はヨロイを示し、両レンズ１，１は連結部材２の両端に取着され、ヨロイ３，３はレンズ１，１の外側に取付けられている。そして、ヨロイ３，３には継手５，５を介してツル４，４が折畳み出来るように連結している。又、連結部材２の下方であって、レンズ１，１の内側には鼻当てパット６，６が取付けられている。
【００１６】
縁なしメガネとしての基本形態は前記図９に示している従来の縁なしメガネと共通しているが、本発明では連結部材２とレンズ１，１との連結構造、及びレンズ１とヨロイ３との連結構造に特徴を有している。
ところで、従来の縁なしメガネでは、連結部材の両側に止着片を有すと共にヨロイにも止着片を設け、これら各止着片を介してレンズとネジ止めした構造としているが、本発明でネジを使用しないでレンズと連結して構成している。
【００１７】
レンズ外周には切欠き部を形成し、この切欠き部に取付部材を嵌合すると共に接着剤にて固着している。そして、連結部材２の先端部には所定の間隔をおいて嵌入片と表片を平行に延ばし、及びヨロイ３の先端にも嵌入片と表片を平行に延ばしている。上記嵌入片は取付部材の穴に嵌合すると共に接着して連結することが出来る。すなわち、ネジを使用しない連結構造を構成している。
【００１８】
図２はレンズ１を単独で表している具体例であるが、該レンズ１の両側には切欠き部７ａ，７ｂを形成している。ここで、左側の切欠き部７ａは連結部材２に連結する部位であり、右側の切欠き部７ｂはヨロイ３が連結する部位となる。そして、図３に切欠き部分の拡大図を示しているように、該切欠き部７ｂは平坦な上内面８及び平坦な下内面９を形成し、湾曲した奥内面１０にて繋がっている。
【００１９】
図４は該切欠き部７ａ，７ｂに嵌る取付部材１１を示す具体例である。該取付部材１１は切欠き部７に嵌合する為に背面１２は滑らかな曲面を有し、上面１３及び下面１４は平坦面としている。そして、正面から背面側に長方形断面の穴１６が設けられ、該取付部材１１はレンズ外周２１に形成した切欠き部７に嵌合し、上面１３及び下面１４は上内面８と下内面９に当接し、背面１２は奥内面１０に当接することが出来る。
【００２０】
そして、切欠き部７に嵌った取付部材１１は、その位置が定まるようにレンズ表面２０を基準面として固定される。すなわち、取付部材１１に連結部材２又はヨロイ３を連結することで、該取付部材１１はレンズ表面２０を基に位置が定まり、ひいては連結部材２及びヨロイ３の位置決めが行われる。そして、連結部材２及びヨロイ３の位置が定まったところで、取付部材１１は接着剤によって固着され、切欠き部７から外れることがないようにする。
【００２１】
図５は切欠き部７に嵌って取付けた取付部材１１にヨロイ３を連結する場合を示している。ヨロイ３は同図の（ａ）に示しているように、所定の間隔をおいた表片１７と嵌入片１８は互いに平行に延び、嵌入片１８は取付部材１１の穴１６に嵌り、表片１７は取付部材１１の表面１９に当接して取付けられる。
【００２２】
そこで、図５に示すようにヨロイ３の嵌入片１８を穴１６に嵌め、表片１７を表面１９に当接するならば、取付部材１１は所定の位置に位置決めされる。すなわち、図６に図５（ｂ）のＡ−Ａ断面拡大図を示すように、ヨロイ３の表片１７は取付部材１１の表面１９に当接すると共にレンズ１のレンズ表面２０にも当接する。従って、取付部材１１の一部は表片１７と嵌入片１８にて挟まれた状態となり、表面１９はレンズ表面２０と同一面をなして位置決めされる。その為に、表片１７の当接面積は取付部材１１の表面１９より大きく成っている。
【００２３】
取付部材１１が正しく位置決めされてヨロイ３が連結したとことで接着剤によって固着される。ただし、本発明では取付部材１１の固定手段を接着剤に限定はしない。
図７はレンズ表面２０に僅かな段差を有す凹部１５を形成した場合を示している。すなわち、レンズ１によってはレンズ表面２０の曲率が僅かに変わる場合もあり、このようなレンズ１の外周に設けた切欠き部７ｂに取付部材１１を嵌め、この取付部材１１にヨロイ３を連結する場合、取付部材１１の位置決めが一定しない。
【００２４】
取付部材１１はその表面１９がレンズ表面２０と一致することから、該レンズ表面２０の曲率が変わった場合には該レンズ表面２０を僅かに切削又は研削して凹部１５を形成する。そして、切欠き部７ｂに嵌った取付部材１１の表面１９を凹部底面に一致させることが出来る。図８は図７（ｂ）のＢ−Ｂ断面拡大図を示しているように、取付部材１１の表面１９は凹部底面に一致し、ヨロイ３の表片１７の一部は該凹部１５に係合している。
【００２５】
このように、レンズ形状、すなわちレンズ外形又はレンズ表面の曲率がいかようであっても、レンズ外周２１に切欠き部７ａ，７ｂを設け、この切欠き部７ａ，７ｂに取付部材１１，１１を嵌めてヨロイ３，３を連結することで、該取付部材１１，１１はレンズ表面２０と同一面をなして位置決めされる。
【００２６】
図５ではヨロイ３に関して説明しているが、両レンズ１，１を連結する連結部材２の連結構造の場合も同じように構成することが出来る。すなわち、連結部材２の両先端には嵌入片と表片を延ばし、レンズの切欠き部には図４に示す取付部材を嵌め、この取付部材の穴に嵌入片を嵌めると共に表片を取付部材表面とレンズ表面に当接する。従って、両レンズ１，１は連結部材２を介して左右対称に連結される。
【００２７】
ところで、実施例ではレンズ外周に設けた切欠き部７ａ，７ｂをレンズ表面からレンズ背面にかけて貫通した形状としている。しかし、背面側を貫通することなく一部を残した切欠き部をして形成する場合もある。
【符号の説明】
【００２８】
１  レンズ
２  連結部材
３  ヨロイ
４  ツル
５  継手
６  鼻当てパット
７  切欠き部
８  上内面
９  下内面
10  奥内面
11  取付部材
12  背面
13  上面
14  下面
15  凹部
16  穴
17  表片
18  嵌入片
19  表面
20  レンズ表面
21  レンズ外周
【図１】
2014153591.tif 000003
【図２】
2014153591.tif 000004
【図３】
2014153591.tif 000005
【図４】
2014153591.tif 000006
【図５】
2014153591.tif 000007
【図６】
2014153591.tif 000008
【図７】
2014153591.tif 000009
【図８】
2014153591.tif 000010
【図９】
2014153591.tif 000011